(57)【要約】      （修正有）【課題】  他の部品を組み合わせることなく、裁断された１枚の紙又は樹脂部材を組み立てることにより形成されると共に、組み立てられた形状のままメガホンとしても使用することができるサンバイザ１を提供する。【解決手段】  サンバイザ１は、ユーザの頭部を覆うキャップ部２と、ユーザの顔を直射陽射しを防止する日除け部３を備える。サンバイザ１がメガホンとして使用されるときに、ユーザが口を臨ませるための開口部４がキャップ部２の頂点部分に設けられている。開口部４の周縁には、キャップ部２を握ったユーザの手の引っ掛かりとなる取っ手部５が設けられている。ユーザは、サンバイザ１を被ることにより、陽射しを防ぐことができ、開口部４から声を発することにより、声を拡声することができる。【選択図】図１
0003126115.tif 000002
【実用新案登録請求の範囲】
【請求項１】
紙又は樹脂部材を折り曲げと組み立てることにより形成されたメガホン機能を持つサンバイザであって、
三角円錐状に形成したキャップ部と、
メガホンとして使用する時に前記キャップ部の頂点部分をユーザが口を臨ませることができるように開口させると共に、開口周縁をユーザが手で握ったときに引っ掛かりとなるように形成した取っ手部と、を備えたことを特徴とするメガホン機能を持つサンバイザ。
【請求項２】
前記キャップ部及び取っ手部は、１枚の紙又は樹脂部材を裁断することにより形成され、
前記キャップ部は、山折り及び谷折りにより一体的に形成された日除け部を有し、
前記取っ手部は、キャップ部の頂点部分の部材に放射方向に複数の切れ込みを入れ、それら先端側を花弁状に外側に折り返し、径方向に膨らみを持たせた状態で該部材の先端をキャップ部に形成した切り込みに係止させることにより形成したことを特徴とする請求項１記載のメガホン機能を持つサンバイザ。
【考案の詳細な説明】
【技術分野】
【０００１】
本考案は、他の部品を組み合わせることなく、１枚の紙又は樹脂部材を折り曲げて組み立てることにより、メガホンとしても使用することができるサンバイザに関する。
【背景技術】
【０００２】
屋外でスポーツを観戦する観客は、応援用のメガホン及び陽射しを防ぐためのサンバイザを使用することが多い。そこで、特許文献１に示すように、１枚の紙を組み立てることによって、メガホンとしてもサンバイザとしても使用することができるメガホン兼サンバイザが知られている。
【０００３】
しかしながら、特許文献１に示されるメガホン兼サンバイザは、メガホンとして使用されるときの形状と、サンバイザとして使用される形状が異なっていた。そのため、メガホン兼サンバイザを使用するユーザは、使用目的に応じてメガホン兼サンバイザを組み立てなければならなかった。つまり、ユーザは、１枚の紙をメガホンとして組み立てた後にサンバイザとして使用するときには、既にメガホンとして組み立てたメガホン兼サンバイザを分解して、改めてサンバイザとして組み立て直さなければならなかった。
【０００４】
【特許文献１】実開平７−２８９２８号公報
【考案の開示】
【考案が解決しようとする課題】
【０００５】
本考案は、上記従来例の問題を解決するためになされたものであり、一旦、組み立てられたサンバイザは、ユーザによって改めて組み立て直されることなく、そのままの形状で、メガホンとしてもサンバイザとしても機能することが可能なサンバイザを提供することを目的とする。
【課題を解決するための手段】
【０００６】
上記目的を達成するために請求項１の考案は、紙又は樹脂部材を折り曲げと組み立てることにより形成されたメガホン機能を持つサンバイザであって、三角円錐状に形成したキャップ部と、メガホンとして使用する時にキャップ部の頂点部分をユーザが口を臨ませることができるように開口させると共に、開口周縁をユーザが手で握ったときに引っ掛かりとなるように形成した取っ手部と、を備えたようにしたものである。
【０００７】
また、請求項２の考案は、請求項１のサンバイザにおいて、キャップ部及び取っ手部は、１枚の紙又は樹脂部材を裁断することにより形成され、キャップ部は、山折り及び谷折りにより一体的に形成された日除け部を有し、取っ手部は、キャップ部の頂点部分の部材に放射方向に複数の切れ込みを入れ、それら先端側を花弁状に外側に折り返し、径方向に膨らみを持たせた状態で該部材の先端をキャップ部に形成した切り込みに係止させることにより形成したものである。
【考案の効果】
【０００８】
請求項１の考案によれば、サンバイザのユーザは、既に組み立てられたサンバイザを組み立て直すことなく、そのままの状態でメガホンとして使用することができる。メガホンとして使用されるとき、サンバイザがユーザの手からずり落ちるのを防止することができる。また、ユーザは、取っ手部に口を臨ませたときに適度なソフト感を得ることができる。
【０００９】
請求項２の考案によれば、他の部品を組み合わせることなく、裁断された１枚の紙又は樹脂部材を折り曲げて組み立てることによりサンバイザを形成するため、製造コストを抑えることができる。また、サンバイザを使用しないとき、ユーザは、サンバイザを分解してシート状にすることにより、容易に運搬、携帯及び保管することができる。
【考案を実施するための最良の形態】
【００１０】
以下、本考案の実施形態に係るサンバイザについて、図面を参照して説明する。図１は、本考案の実施形態に係るサンバイザの形状を示す。図１において、サンバイザ１は、ユーザの頭部を覆うキャップ部２と、ユーザの顔を直射する陽射しを遮る日除け部３を備える。サンバイザ１がメガホンとして使用されるときに、ユーザが口を臨ませるための開口部４がキャップ部２の頂点部分に設けられている。さらに、開口部４の周縁には、キャップ部２を握るユーザの手が引っ掛かるための取っ手部５が設けられている。
【００１１】
図２を参照して、さらに、サンバイザ１の形状について説明する。図２は、三方向から見たサンバイザ１の形状を示す。図２（ａ）は、サンバイザ１の正面図であり、図２（ｂ）は、サンバイザ１の側面図であり、図２（ｃ）は、サンバイザ１の背面図である。図２（ｂ）において、キャップ部２の左右には、あご紐が係止されるあご紐係止部６が設けられている。
【００１２】
図２（ｂ）及び（ｃ）において、キャップ部２には、日除け部３が設けられているのとは反対側にあたるサンバイザ１の背面側に複数の係止部７が設けられている。キャップ部２は、裁断された１枚の紙又は樹脂部材が丸められることにより形成される。そこで、係止部７は、丸められて形成されたキャップ部２の形状を維持するために用いられる。
【００１３】
図３及び図４は、サンバイザ１の使用例を示す。図３は、ユーザがサンバイザ１を頭に被っている状態を示している。このとき、キャップ部２と日除け部３は、それぞれユーザの頭部及び顔を陽射しから守っている。また、ユーザは、あご紐係止部６に係止されたあご紐８を用いることにより、頭部を動かしたときや風が吹いたときなどにサンバイザ１が頭部から落下することを防止することができる。
【００１４】
図４は、ユーザがサンバイザ１をメガホンとして使用している状態を示している。ユーザは、キャップ部２を手で握り、開口部４に口を臨ませて声を発する。これにより、ユーザは発した声を拡声することができる。このとき、キャップ部３は、三角円錐状になっているため、キャップ部３を握っているユーザの手が日除け部３から開口部４に向かってすべりやすくなる。そこで、開口部４の周縁に取っ手部５を設けることにより、ユーザの手が取っ手部５に引っ掛かるため、キャップ部４を握っているユーザの手からサンバイザ１がずり落ちることを防止することができる。
【００１５】
図５は、組み立てられる前の裁断されたサンバイザ１の状態を示す。サンバイザ１は、予め定められた形状に裁断された１枚の紙又は樹脂部材が組み立てられることにより形成される。ここで、紙又は樹脂部材は、扇状のキャップ部２の上端に取っ手部５が形成され、キャップ部２の下端中央部に日除け部３が形成されるように裁断される。また、キャップ部２の両側の一方には、円弧状の係止片７Ａが設けられ、他方には、係止片７Ａが係脱自在に係止することができる切れ込みが係止溝７Ｂとして設けられている。係止片７Ａが係止溝７Ｂに係止することにより、係止部７を構成する。
【００１６】
キャップ部２の上端には、複数の切れ込みが入れられて取っ手部５が形成されている。取っ手部５を形成するために入れられた切れ込みから所定の距離が離れたところに、取っ手部５の先端が挿入される係止孔９が取っ手部５と同じ数だけ設けられている。取っ手部５は、取っ手部５の先端が係止孔９に挿入されることにより形成される。
【００１７】
キャップ部２と日除け部３が繋がっているキャップ部２の下端中央部には、谷折り筋１０と山折り筋１１が設けられている。日除け部３は、谷折り筋１０が谷折りされ、山折り筋１１が山折りされることにより、キャップ部２に対して略垂直に位置することができる。また、日除け部３のキャップ部２側の両端には、日除け部３をキャップ部２に係止するための日除け部係止片３Ａが設けられている。一方、キャップ部２には、日除け部係止片３Ａが係脱自在に係止することができる切れ込みが日除け部係止溝３Ｂとして設けられている。なお、あご紐係止部６の両端には、あご紐８が取り付けられることによる切裂を防止するために切裂止孔６’が設けられている。
【００１８】
図６は、キャップ部２の組み立て方を説明する。キャップ部２は、扇状の両側同士が重なり合うように丸められる。キャップ部２に設けられた複数の係止片７Ａは、各係止片７Ａに対応する係止溝７Ｂに対して挿入される。ここで、係止片７Ａの根元にはくびれが形成されている。係止片７Ａは、係止溝７Ｂに対してねじられながら係止片７Ａの根元に形成されたくびれまで挿入される。このくびれが係止溝７Ｂに係止することにより、挿入された係止片７Ａは、係止溝７Ｂから外れにくくなる。全ての係止片７Ａがそれぞれに対応する係止溝７Ｂに挿入されることにより、キャップ部２は、三角円錐状に形成されることとなる。
【００１９】
図７は、取っ手部５の組み立て方を説明する。キャップ部２が三角円錐状に形成されると、開口部４に設けられた複数の取っ手部５は、丸みをもたせながらキャップ部２の外側に開かれる。外側に開かれた取っ手部５の先端は、対応する係止孔９に挿入されて係止される。このように、丸みをもって取っ手部５が形成されることにより、ユーザは、開口部４に口を当てたときに適度なソフト感を得ることができる。
【００２０】
図８は、日除け部３の組み立て方を説明する。日除け部３は、谷折り筋１０が谷折りされ、山折り筋１１が山折りされることにより、キャップ部２に対して略垂直となる。次に、日除け部係止片３Ａは、日除け部係止溝３Ｂに挿入される。なお、日除け部係止片３Ａの形状は、係止片７Ａと同じであり根元にくびれを有している。日除け部係止片３Ａの根元に形成されたくびれが、日除け部係止溝３Ｂに係止することにより、日除け部３は、キャップ部２に対して略垂直となる位置で固定される。
【００２１】
このように、他の部品を組み合わせることなく、裁断された１枚の紙又は樹脂部材を折り曲げて組み立てることでサンバイザ１を形成することにより、低コストでメガホン機能を持つサンバイザ１を製造することが可能となる。また、裁断される紙又は樹脂部材に、予め着色したり、広告又は図案を印刷することによってユーザの購買意欲を刺激することができる。例えば、応援するチームのチームカラーを着色したり、チームのロゴを印刷するのである。さらに、ユーザは、組み立てられたサンバイザ１を分解して１枚のシート状にすることにより、容易に運搬、携帯及び保管することが可能となる。
【００２２】
なお、本考案は、上記各種実施形態の構成に限られず、考案の趣旨を変更しない範囲で種々の変形が可能である。例えば、係止部７は、係止片７Ａを係止溝７Ｂに挿入する構成でなく、鉤型に形成された２つの部材を互いに係合させる構成であってもよい。また、サンバイザ１が半透明の樹脂部材で形成されるとき、日除け部３は、ユーザの顔全体を覆うようにキャップ部２に位置決めされる構成であっても構わない。
【図面の簡単な説明】
【００２３】
【図１】本考案の実施形態に係るサンバイザの形状を示す斜視図。
【図２】同サンバイザ１を三方向から見た形状を示す状態図。
【図３】同サンバイザ１の使用例を示す説明図。
【図４】同サンバイザ１の使用例を示す説明図。
【図５】同サンバイザ１の組み立てられる前の裁断された状態を示す構成図。
【図６】同サンバイザ１のキャップ部２の組み立て方を示す説明図。
【図７】同サンバイザ１の取っ手部５の組み立て方を示す説明図。
【図８】同サンバイザ１の日除け部３の組み立て方を示す説明図。
【符号の説明】
【００２４】
１  サンバイザ
２  キャップ部
３  日除け部
４  開口部
５  取っ手部
９  係止孔
１０  谷折り筋
１１  山折り筋
【図１】
0003126115.tif 000003
【図２】
0003126115.tif 000004
【図３】
0003126115.tif 000005
【図４】
0003126115.tif 000006
【図５】
0003126115.tif 000007
【図６】
0003126115.tif 000008
【図７】
0003126115.tif 000009
【図８】
0003126115.tif 000010